(57)【要約】    【課題】  異物等の噛み込み等による影響を受けにくい構成、正確に子供用シートのシートへの装着を検出することができる構成とする。    【解決手段】  シート１に対して取り付けを行う金属製の固定部５２を有する子供用シート５を、シート１のアンカー１７に対して固定する子供用シート検出装置１０において、コイル３０にてアンカー１７の周囲に磁界を発生させ、アンカ−１７に対しての固定部５２の接近状態を磁界変化に基づきセンサ検出部４２により検出し、子供用シート装着状態を検出する。【選択図】  図２
2005212615.tif 000002
【特許請求の範囲】
【請求項１】
金属製の固定部を有する子供用シートをシートに固定する該シートの係止部に対して、前記固定部により子供用シート装着状態を検出する検出手段を有する子供用シート検出装置において、
前記係止部の周囲に磁界を発生させる磁界発生手段を備え、前記検出手段は前記係止部に対して前記固定部の非接近状態の磁界と接近状態の磁界との変化に基づいて、子供用シート装着状態を検出することを特徴とする子供用シート検出装置。
【請求項２】
前記磁界発生手段はコイルと、該コイルを励磁させて前記係止部の周囲に磁界を発生させる磁界発生手段とを備え、
前記検出手段は、前記接近状態で前記固定部に発生するうず電流に基づく磁界の変化により、前記子供用シート装着状態を検出する請求項１に記載の子供用シート検出装置。
【請求項３】
前記磁界発生手段はコイルと、該コイルを励磁させて前記係止部の周囲に磁界を発生させる磁界発生手段とを備え、
前記検出手段は、磁界変化を検出する磁気検出素子を有し、該磁気検出手段に基づいて前記子供用シート装着状態を検出する請求項１に記載の子供用シート検出装置。
【請求項４】
前記係止部は、一対の側部と、該側部を互いに連結する連通部を有し、該連通部に前記固定部を装着する場合、前記連結部の周囲に前記コイルが設けられている請求項１に記載の子供用シート検出装置。
【請求項５】
前記コイルは、前記連結部に巻回されているか、又は、前記連結部に貼り付けられている請求項４に記載の子供用シート検出装置。
【請求項６】
前記コイルは、保護部材により表面が覆われる請求項５に記載の子供用シート検出装置。
【発明の詳細な説明】
【技術分野】
【０００１】
本発明は、子供用シートのシートへの装着を検出する子供用シート検出装置に関するものであり、特に、シートベルトにより固定されない子供用シートの装着を検出する子供用シート検出装置に係る。
【背景技術】
【０００２】
従来、車両分野において、拘束機能が付加された子供用シート（ここでは、子供用シートと称す）はチャイルドシート（ＣＲＳ）と称される。子供用シートは大別すると、ゆりかご型、シールド型、シート型、ハーネス型、ブースタ型で分類され、一般的には、シートベルトを利用してシートに固定する方法が取られる。
【０００３】
この様な子供用シートの取り付けに関しては、様々な取り付け方法があり、例えば、首が据わっていない小さな乳児では、子供用シートはシートに対して後ろ向きに装着し、乳幼児よりも大きな幼児では、子供用シートを前向きに装着する方法が取られる。この場合、シートへの子供用シートの取り付けは、子供用シートの背面や底面に設けられた取り付け空間に車両側に設けられたシートベルトのタングプレートを通し、タングプレートをシートフレームの側面に取り付けられたバックルに差し込んで、シートベルト装着する。
【０００４】
近年では、子供用シートのシートへの取り付けには様々あるため、安全面からシートベルトを用いない取り付け方法が採用されてきている（例えば、特許文献１）。シートへの固定にシートベルトを用いない子供用シートは、国際規格でも定められており、ＩＳＯＦＩＸ対応の子供用シートと称される。この様なＩＳＯＦＩＸ対応の子供用シートを、車両側のシートに取り付けが行える様、車両側には、強度的に強いシートの位置（シートクッションとシートバックとの間や、足元のシート支持部）にコ字状を呈する係止部としての係合バー（アンカー）が設けられている。
【０００５】
一方、子供用シートは、下面に一対のフレーム（ＩＳＯＦＩＸ対応ではＵ字状）が前後方向に延在して取り付けられており、フレームのアンカー側に固定される端部には、図１２に示す如く、ワニ口状を呈するクランプが設けられている（例えば、特許文献１）。
【０００６】
この様な構成の子供用シートをシートへ装着させる場合には、子供用シート側のクランプを開いて、クランプを車両のシート側に設けられた係止バー（アンカー）に嵌着させることによって、子供用シートをシートに対して所定位置で取り付ける。
【０００７】
上記した特許文献１に示される構成では、コ字状を呈するアンカーの内側には、子供用シートがシートに装着されたか否かの検出を行う検出スイッチが設けられている。検出スイッチの操作部の先端は図１２に示す如く露出しており、子供用シートの装着には操作部の先端を、クランプの先端で押圧させることにより、子供用シートの装着を検出する。
【特許文献１】米国特許登録番号  第５，６９０，３５６（Ｆｉｇ．１）
【発明の開示】
【発明が解決しようとする課題】
【０００８】
例えば、車両の床面に対して高さ調整が行えるＩＳＯＦＩＸ対応の子供用シートをシートに対して装着する場合には、高さ調整機構の高さに応じて子供用シートを取り付けるフレームの傾きが変わり、アンカーに対してクランプの傾斜角度が変化する。即ち、子供用シートのフレーム傾斜角（クランプの姿勢）やクランプの形状によっては、スイッチの操作部をクランプの先端で正確に押圧動作させることが困難となる。
【０００９】
シートの足元にスイッチを設ける構成となるので、スイッチに異物等が噛み込み易くなる。異物を噛み込んだ場合には、子供用シートの装着を検出できなくなってしまう。
【００１０】
よって、本発明は上記の問題点に鑑みてなされたものであり、異物等の噛み込み等による影響を受けにくい構成とすること、子供用シートのシートへの装着を検出することができる構成とすることを技術的課題とする。
【課題を解決するための手段】
【００１１】
上記した課題を解決するために講じた技術的手段は、金属製の固定部を有する子供用シートをシートに固定するシートの係止部に対して、固定部により子供用シート装着状態を検出する検出手段を有する子供用シート検出装置において、係止部の周囲に磁界を発生させる磁界発生手段を備え、検出手段は係止部に対して固定部の非接近状態の磁界と接近状態の磁界との変化に基づいて、子供用シート装着状態を検出する構成としたことである。
【００１２】
この場合、磁界発生手段はコイルと、コイルを励磁させて係止部の周囲に磁界を発生させる磁界発生手段とを備え、検出手段は、接近状態で固定部に発生するうず電流に基づく磁界の変化により、子供用シート装着状態を検出すると良い。
【００１３】
また、磁界発生手段はコイルと、コイルを励磁させて係止部の周囲に磁界を発生させる磁界発生手段とを備え、検出手段は、磁界変化を検出する磁気検出素子を有し、磁気検出手段に基づいて子供用シート装着状態を検出すると良い。
【００１４】
係止部は、一対の側部と、側部を互いに連結する連通部を有し、連通部に固定部を装着する場合、連結部の周囲にコイルが設けられていると良い。
【００１５】
コイルは、連結部に巻回されているか、又は、連結部に貼り付けられていると良い。
【００１６】
コイルは、保護部材により表面が覆われると良い。
【発明の効果】
【００１７】
請求項１の発明によれば、検出手段は係止部に対して固定部の非接近状態の磁界と接近状態の磁界との変化に基づいて、子供用シート装着状態を検出する構成としたので、検出手段は固定部が非接近状態の磁界と、固定部が接近状態の磁界の変化に基づいて、子供用シートの装着状態を検出することができる。これは、子供用シートが取り付けられるシートの係止部の周囲に磁界を発生させる。この状態下でシートの係止部に子供用シートの固定部が近くにあるか否かを、固定部と係止部との接触状態に係らず、磁界の変化を検出することにより、検出手段で子供用シートの装着状態を判定することができる。これは、磁界(例えば、磁束密度)の変化を検出手段にて検出するので、子供用シートをシートに対して固定する固定部の傾斜角や形状に影響されにくく、正確に子供用シートの装着状態／非装着状態を検出することができる。この構成によれば、子供用シートの装着状態を検出するスイッチを用いた場合に生じる、スイッチ操作部の異物の噛み込み等の不具合は発生しない。
【００１８】
請求項２の発明によれば、磁界発生手段によってコイルを励磁させ、コイルによって磁界を作り、係止部の周囲に交流磁界を発生させることができる。この状態で、子供用シートが係止部に取り付けられる場合には、係止部に対して子供用シートの固定部は接近し、金属製の固定部にうず電流が発生する。この子供用シート側に発生したうず電流による影響で、係止部の周囲に発生させていた磁界が、係止部に子供用シートを装着していないときの磁界の状態に比べて、磁界発生手段のインダクタンスが変化する。このインダクタンスが変化する状態を検出手段により検出することによって、シートへの子供用シートの装着状態を、うず電流を利用して検出することが可能である。この様な検出では、磁界変化を検出するので、子供用シートの固定部の傾斜角や形状に影響されにくく、正確に子供用シートの装着を検出することができる。また、スイッチを用いることによる、スイッチ操作部の異物の噛み込み等の不具合は発生しない。
【００１９】
請求項３の発明によれば、コイルを磁界発生手段により励磁させ、係止部の周囲に磁界を発生させ、係止部の周囲に発生させた磁界の変化を磁気検出素子により検出することができる。これは、子供用シートがシートに装着されていな状態では係止部の周囲に一定の磁界が発生するようにし、このときの磁束密度の変化はない。しかしながら、シートに子供用シートが装着されると、係止部の周囲に発生させた磁界が金属製の固定部に影響されて磁界の変化が生じる。この磁界変化に基づいて、簡単な構成により子供用シート装着状態を検出することができる。これは、磁界変化を検出するので、子供用シートの固定部の傾斜角や形状に影響されにくく、正確に子供用シートの装着を検出することができる。
【００２０】
請求項４の発明によれば、係止部の連結部の周囲にコイルが設けられるので、係止部の連結部に設けたコイルによって、固定部が係止部に装着される確実な位置で係止部の周囲に磁界を発生させることができる。これは固定部の傾斜角や形状に影響されにくく、コイルによって係止部の連結部の周囲に磁界の発生が行えるので、磁界を発生させる場合において、磁界発生手段として永久磁石を用いる場合に比べ、子供用シートを検出するのに必要な場合にコイルへの励磁を行えば、コイルへの鉄粉等の吸着を防止することができる。
【００２１】
請求項５の発明によれば、コイルは、連結部に巻回されているか、又は、連結部に貼り付けられていると、コイルは簡単且つ安価な構成によって、係止部に対してコイルを取り付けることができる。
【００２２】
請求項６の発明によれば、コイルは、保護部材により表面が覆われると、固定部が係止部に取り付けられる場合、保護部材により磁界を発生させるコイルを確実に保護することができ、コイルの寿命を確保することができる。
【発明を実施するための最良の形態】
【００２３】
以下、本発明の一実施形態について、図面を参照して説明する。
【００２４】
図１は、車両用のシート１に子供用シート検出装置１０を適用するシート１の斜視図を示す。図１に示すシート１は、着座面を有するシートクッション２と、着座者の背中を支えるシートバック３と、着座者の頭部を保護するヘッドレスト４とを備えている。
【００２５】
シートクッション２は、４つのフレームにより骨格が形成されている。即ち、着座面に対して前後左右方向において、左右一対のクッションフレーム１１と、左右のクッションフレーム１１を着座面前方で連結するクッションフレーム１２及び着座面後方で連結するクッションフレーム１３によって、着座面の骨格が形成されている。クッションフレーム１１，１２は鉄等の剛体から成り、コ字状に形成され、後方のクッションフレーム１３には連結パイプを使用している。クッションフレーム１１，１２，１３の枠内には着座面のクッション性を保持するため、前後方向に延在すし、略矩形状（波状であっても良い）を呈するシートばね１４が前後のクッションフレーム１２，１３に張架され、シートばね１４は着座面の左右方向に複数並列に設けられている。
【００２６】
シートクッションフレーム１１，１２，１３およびシートばね１４の上には、ウレタン等の発泡性樹脂から成るクッション体６が配設され、クッション体６は表皮７により外面が覆われている。また、シートバック３もシートクッション２と同様、骨格はシートバックフレーム８により形成され、シートバックフレーム８にシートばね１４を張架させ、その上にクッション体６を被せた状態で、クッション体６の外面を表皮７で覆っている。
【００２７】
クッションフレーム１１の後方側面には、シートベルトのシート側のアンカー１５がボルト等の締結部材により斜め上方に向けて支持されている。アンカー１５の上端には、シートベルト側に設けらる図示しないタングプレートが嵌着され、着座者をシートベルトにて拘束するバックル１６が取り付けられている。
【００２８】
また、着座面後方の連結パイプ１３には、子供用シート５を固定するためのアンカー（シート側の係止部）１７が２つ、図１０の如く、所定距離だけ離間した状態で取り付けられている。シートクッション２の表皮７には、アンカー１７が設けられる部位に取付孔２９が２ヶ所に形成される。アンカー１７はそれぞれ、シートバック３の下方から着座面に対して意匠性が損なわれない程度、わずかに露出している。
【００２９】
次に、子供用シート５の構造について、図６を参照して簡単に説明する。子供用シート５は、車両衝突時において乳幼児を保護するものであり、３点式のシートベルト５６を備え、子供用シート５の着座面が固定フレーム５１に対して前向き（図６）／後向き（図１０）となる様、向き調整が自在となっている。子供用シート５は、シート１への固定用として金属製（例えば、鉄等の磁性体金属）の形状が略Ｙ字状を呈する固定フレーム５１を備え、子供用シート５は固定フレーム５１によりシート上に固定することが可能である。固定フレーム５１は子供用シート５の下方に取り付けられており、着座面の下方ではシートバケットの着座面に対して前後方向に延在し、着座面前方の足元５３から所定角度だけ湾曲し、斜め下方に延在している。固定フレーム５１は前方において、足元５３の下方にて左右一対の固定フレーム５１を結合させ、補強部５５により強度を向上させている。また、子供用シート５は、補強部５５の下方中央には、シート１への取り付け時に床面に対して子供用シート５の高さが変わる高さ調整機構５４を備えている。高さ調整機構５４は床面に当接する操作部を、直接、回転操作させることにより、車両の床面に対する高さ調整が行え、シート１に対する子供用シート５の傾斜角度の調整ができる。
【００３０】
一方、固定フレーム５１の着座面後方の左右の自由端には、図１０に示すシート側のアンカー１７に対して固定される固定部５２をそれぞれ備える。固定部５２には、図２の如く、固定部５２に設けられた回転軸４５を中心に回動するラッチ４５が回動自在に設けられている。ラッチ４５は、子供用シート５をシート１のアンカー１７に取り付ける場合に、固定部５２をアンカーに対して押し付ける動作によって、ラッチ４５が回転軸４４を回転中心として図２に示す時計方向に回動して、図２に示すロック位置でロック部材４６との係合によりラッチ４５の回動をロック可能とすると共に、且つ、子供用シート５をアンカー１７から取り外す時に、ロック部材４６によるラッチ４５との係合が外れてロック解除が行われ、アンカー１７から固定部５２を離反させる動作（子供用シート５を外す動作）によって、反時計方向に回動するアンカー１７が設けられている。この場合、固定部５２の構造は、上記した構造に限定されるものではなく、図１２に示す様に、ワニ口状のクランプが設けられ、クランプの操作によってアンカー１７と係脱がなされる様、クランプが固定フレーム５１の先端に一体で設けられていても良い。
【００３１】
次に、子供用シート５をシート側に設けられたアンカー１７に固定する構造について、図２を参照して説明する。着座面後方に設けられた連結パイプ１３には、金属棒を湾曲させたアンカー１７が２つ固定されている。アンカー１７は夫々がコ字状を呈すると共に、図２に示す様に、側面視で直線部２６と連結パイプ１３の外周面に沿う円弧部１８が一体で設けられ、円弧部１８が連結パイプ１３に対して溶接により固定されている。また、コ字状のアンカー１７の直線部２６と円弧部１８との間には金属から成るセンサブラケット２１が、連結パイプ１３に溶接によって固定されている。この連結パイプ１３に固定されたセンサブラケット２１の内側には、樹脂のケーシングを有するセンサユニット２２が、ボルト等の締結部材９により所定位置に位置決めされ固定されている。センサユニット２２からはハーネス３３が延在し、ハーネス３３の先端にはコネクタ３４が設けられている。
【００３２】
センサブラケット２１は、図５に示す様に、樹脂のケーシンングには本体部２９と円筒部２４とを有し、円筒部２４の内部には円周状に所定回数だけ巻かれたコイル３０が配設されている。この場合、円周状に巻回されたコイル３０の中心は、図２に示す側面視において、円周状で巻回されるコイル３０の中心は直線部２６の径の中心と一致する。コイル３０の端部２０は回路基板２７に電気的に接続され、コネクタ３４に嵌着される外部コネクタからの指示によって、コイル３０に回路基板２７から通電が成され、コイル３０に励磁が成されると共に、アンカー１７に対して子供用シート５を装着した子供用シート装着状態（単に、装着状態と称す）および非装着の子供用シート非装着状態（単に、非装着状態と称す）を検出する電子回路が半田付けにより回路基板上に表面実装されている。この様な回路基板２７は、本体部２９に対して、ビス等により数箇所にて固定されている。
【００３３】
図３は、子供用シート検出装置１０をエアバッグ制御装置に応用した場合のシステム構成を示すブロック図である。図３に示すエアバッグ制御装置は、磁気検出部４２、衝突センサ４１、制御装置４０およびエアバッグ５０を備えている。エアバッグ制御装置は、車両衝突を車両の前方（例えば、バンパー部）に設けられた衝突センサ４１で衝突を検出し、車両衝突時に検出される信号に基づき、制御装置４０が車両衝突状態を判断してエアバッグ５０を作動させる。この場合、エアバッグ５０を膨張させるときのエアバッグ５０の膨張量あるいは膨張速度が、大人と子供と同じであると、子供に対しては好ましくない影響を与える。それ故に、本実施形態では、子供（特に、乳幼児）が座っている状態を、磁気変化を利用して検出する構成を見出した。
【００３４】
近年においては、子供用シート５は安全面からシートベルトを使用しないＩＳＯＦＩＸ対応のものが普及しつつあり、この様なＩＳＯＦＩＸ対応の子供用シート５のシート１への装着状態／非装着状態を磁気変化を検出することにより、確実に検出できるようにしている。
【００３５】
そこで、図４を参照して、子供用シート５の装着状態を検出する構成およびその動作原理について、簡単に説明する。
【００３６】
磁気検出部４２は所定回数だけ巻回されたコイル３０と、コイル３０を発振により励磁させる発振回路３５と、発振回路３５の発振周波数を電圧変換して電圧信号を作る検出回路３６および検出回路３６からの信号により子供用シート５のシート１への装着を検出する判定回路とを備えており、磁気検出部４２はコイル３０に対して接近する子供用シート５の固定部５２の接近／離反による装着状態／非装着状態を、磁気変化を利用して検出する。
【００３７】
即ち、子供用シート５をシート１に装着する場合には、最初、子供用シート５の取り付け高さを、高さ調整機構５４により調整する。そして、子供用シート５のシート１に対する傾斜角度を決めて、自由端である固定フレーム５１の固定部５２をアンカー１７のシャフト１９に係合させる様、押し付ける操作を行う。
【００３８】
この場合、コイル３０は発振回路３５により自励により定常発振させて高周波で励磁されると、コイル３０から定常的な交流磁界が発生する。コイル３０の周囲に金属か成る子供用シート５の固定部５２がない状態（例えば、アンカー１７に子供用シート５が非装着となっている状態）では、所定の共振周波数で一定の交流磁界が発生する様、発振回路３５で発振制御される。この様に、コイル３０を励磁させた状態で、子供用シート５のアンカー１７への装着を行うと、子供用シート５の固定部５２がアンカー１７に近づき、固定部５２のラッチ４５がアンカー１７のシャフト１９に係合し、ラッチ４５が回動して固定される。つまり、コイル３０に対して固定部５２が、コイル側に近づき、図５に示す点線で示す状態から実線で示す状態となる。この実線で示された状態（例えば、子供用シート５の装着状態）となると、固定部５２には金属製の固定部５２のコイル３０への接近に伴う変化（例えば、固定部５２にうず電流）が発生する。このうず電流による影響で、コイル３０から発生する磁界を妨げる方向に、固定部５２から磁界が発生する。これによって、実質的にコイル側で発振を行う発振回路３５のインダクタンスの変化が生じる。この様な変化が発生すると、定常発振時に比べて、発振回路３５の発振周波数、コイル３０を励磁するときの電流の振幅や位相が変化し、その結果、発振回路３５の発振レベルが変化する。この様な変化を検出回路３６にて検出し、検出回路３６にて周波数／電圧変換あるいは電流／電圧変換を行い、判定回路３７にてそのときの電圧変化により子供用シート５の装着状態を検出する。
【００３９】
一方、シート１に対して子供用シート５を装着状態から非装着状態に外す操作を行うと、固定部５２では内部的にロック部材４６によるラッチ４５との係合が外れる。そして、図２に示す反時計方向にラッチ４５が回転軸４４を中心に回動し、固定部５２がアンカー１７のシャフト１９から離脱する。この状態になると、アンカー１７から固定部５２が離れるに従い、コイル３０の励磁によるうず電流が固定部５２にて発生しなくなる。その結果、コイル３０から発生する磁界の磁束密度は固定部５２がアンカー１７に装着されていない定常状態のときと同じとなり、安定した発振状態に戻るので、シート１への子供用シート５の非装着状態を判定回路３７によって検出することができる。
【００４０】
以上の説明により、上記したコイル３０、発振回路３５、検出回路３６および判定回路３７は、図３に示す磁気検出部となる。
【００４１】
次に、アンカー１７に取り付けられるコイル３０の変形例について、図面を参照して説明する。
【００４２】
（第２実施形態）
図２に示す構成（第１実施形態）において、アンカー１７の周囲に磁界を発生させるコイル３０は、センサユニット内の円筒部２４の中に設けたが、子供用シート５の固定部５２が固定されるアンカー１７のシャフト１９に設けても良い。
【００４３】
即ち、連結パイプ１３に固定されるアンカー１７は、図７に示す様に、シートクッション２とシートバック３との間の空間において、取付孔２９より露出するアーム部２４と、連結パイプ１３に固定される円弧部２９とが一体で形成される形状とし、アンカー１７をアーム部２４と円弧部２９とを有する同形状の側壁１８が所定間隔だけ離れた状態で対向させる構成とする。アーム部２４の先端にはシャフト取り付け用の孔が形成され、この孔に段付きシャフト１９が挿通される。段付きシャフト１９は孔に挿通された後、先端にかしめ加工を施すことによって、対向する側壁１８どうしをシャフト１９により連結する。この様なシャフト１９は、アンカー１７の連結部となる。アンカー１７のシャフト１９には、子供用シート５のラッチ４５が係合し、シャフト１９は子供用シート５がシート上に固定される部位となる。この様な取り付けが成されるシャフト１９には、外周に沿ってコイル３０が周方向に巻回される。
【００４４】
（第３実施形態）
上記した図7に示す第２実施形態では、コイル３０をシャフト１９に対して周方向に巻回する構成としたが、第３実施形態においては、図８に示す如く、シャフト１９に沿ってうず状を呈するコイル３０をフレキシブル基板で構成して、それをシャフト上に粘着剤（例えば、両面テープや接着剤等）を用いて貼り付ける構成とした。
【００４５】
この様な第２実施形態および第３実施形態に示す方法によって、シャフト上にコイル３０を設ければ、シャフト上に簡単且つ容易にコイル３０を設けることが可能である。この場合、コイル３０の端部３１，３２を一方の端（シャフト１０の片側）に持ってくることにより、配線の取り廻しが容易なものとなる。
【００４６】
（第４実施形態）
上記した如く、シャフト上に励磁を行うコイル３０を設ける場合には、子供用シート５は車両が走行中に振動を伴う。この振動によりシャフト１９に設けられたコイル３０に損傷を与えない様、図９に示す如く、コイル３０の周面を確実に保護するため磁界に影響を与えない材質（耐摩耗性に強いの樹脂、例えば、ガラスフィラーを含むナイロン等）から成るカラー（保護部材）２５をコイル３０の外周に被せる構成にすることもできる。このカラー２５により、コイル３０はラッチ４５と係合しても確実に保護され、所望の磁界を発生させることができる。
【００４７】
（第５実施形態）
上記した構成では、子供用シート５の固定部５２がアンカー１７のシャフト１９に接近した場合のうず電流変化を検出して、子供用シート５の装着状態／非装着状態を検出するようにしたが、磁気検出部４２に図１１の構成を適用することによっても子供用シート５の装着状態／非装着状態を検出することができる。
【００４８】
即ち、磁界発生回路によりアンカー１７のラッチ４５との係合が成されるシャフト周囲に一定の磁界を発生させる。この状態下で子供用シート５の固定部５２が近づくと、金属から成る固定部５２によって磁界が金属製の固定部５２にも流れることで、近くに固定部５２が存在しない状態と比較して、磁界の状態が変化する。この様な磁界変化を磁気検出センサとして、磁界中に配設された２つのホール素子３８，３９によって検出することにより、子供用シート５の装着状態／非装着状態を検出することができる。
【００４９】
この場合、２つの磁気検出素子３８，３９は、ラッチ４５のアンカー１７への装着状態／非装着状態による磁界の変化を安定した状態で、磁束密度の変化として差動で検出する。例えば、この様な磁気検出素子３８，３９を図２に示すセンサユニット２２に設ける場合には、円筒部２４の外周面において、円筒部２３の中心を通る直線上に並べて配設し、一方、図１１に示す磁界発生回路は回路基板２７に実装して設けることができる。
【００５０】
また、別の実施形態においては、磁界を発生させるコイル３０に対して、コイル３０と対向してコイル３０からの磁界が発生する領域内に磁気検出素子３８，３９を並べて配設し、コイル３０と磁気検出素子３８、３９との間に、金属製の固定部５２が固定されるアンカー１７を配設する。この様な構成において、アンカー１７に対しての子供用シート５の固定部５２の装着状態／非装着状態を２つの磁気検出素子３８，３９により、磁界変化から検出することも可能である。
【００５１】
また、本実施形態ではアンカー１７のシャフト上にコイル３０を設ける構成を説明したが、アンカー１７のシャフト上に設けられるコイル３０の表面に、耐摩耗性の樹脂（例えば、ガラスフィラーを含むナイロン）をコーティングしても、子供用シート５を装着時のアンカー１７に対してのラッチ４５の係合によるコイル３０の損傷を確実に防止することができ、保護されたコイル３０から所望の磁界を発生させることができる。
【図面の簡単な説明】
【００５２】
【図１】本発明の一実施形態における車両のシートの構成を示した斜視図である。
【図２】図１に示すＡ−Ａ断面図である。
【図３】子供用シート検出装置をエアバッグの作動に適用した場合の構成を示すブロック図である。
【図４】本発明の一実施形態における子供用シート検出装置の動作説明を行うブロック図である。
【図５】図２に示すセンサ部の内部構成および動作説明を行う説明図である。
【図６】本発明の一実施形態における子供用シートの構成を示した斜視図である。
【図７】図１に示すアンカーに対してのコイルの取り付けを示すアンカーの斜視図である。
【図８】図７の変形例である。
【図９】図７の変形例である。
【図１０】子供用シートをシートへ装着する場合の説明図である。
【図１１】本発明の第２実施形態における子供用シート検出装置のセンサ検出部の構成を示すブロック図である。
【図１２】シート下に設けられたアンカーへの子供用シートを固定するクランプの取り付けを示す従来例である。
【符号の説明】
【００５３】
１  シート
５  子供用シート（ＣＲＳ）
１０  子供用シート検出装置
１７  アンカー（係止部）
１８  側壁（側部）
１９  シャフト（連結部，係止部）
２４  アーム部
２５  カラー（保護部材）
２６  直線部
３０  コイル（磁界発生手段）
３５  発振回路（磁界発生手段，検出手段）
３６  検出回路（検出手段）
３７  判定回路（検出手段）
３８，３９  ホール素子（磁気検出素子）
４２  磁気検出部（検出手段）
５１  固定フレーム
５２  固定部
【図１】
2005212615.tif 000003
【図２】
2005212615.tif 000004
【図３】
2005212615.tif 000005
【図４】
2005212615.tif 000006
【図５】
2005212615.tif 000007
【図６】
2005212615.tif 000008
【図７】
2005212615.tif 000009
【図８】
2005212615.tif 000010
【図９】
2005212615.tif 000011
【図１０】
2005212615.tif 000012
【図１１】
2005212615.tif 000013
【図１２】
2005212615.tif 000014